(57)【要約】【課題】  特定の表示部が立体的に見えることを可能とした車両用照明プレートを提供する。【解決手段】  カバーレンズ４の裏面４ａには、文字・マークなどの特定の表示部６を立体的に形成してなり、該特定の表示部６に光拡散処理７を施してなる。【選択図】        図２
2006221073.tif 000002
【特許請求の範囲】
【請求項１】
四辺に側壁を有するベース及び該ベースの側壁の先端に取付けられてなるカバーレンズより構成されてなるハウジングと、該ハウジングの側壁に配置されてなる光源と、該光源に対向し且つハウジングの内部に収納されてなると共に光源からの光をハウジングの内部に拡散させてカバーレンズを光らせる導光体と、該導光体の裏面に配されてなる光拡散反射部とよりなる車両用照明プレートであって、
前記カバーレンズの裏面には、文字・マークなどの特定の表示部を立体的に形成してなり、該特定の表示部に光拡散処理を施してなることを特徴とする車両用照明プレート。
【請求項２】
請求項１に記載の車両用照明プレートであって、
前記特定の表示部は、縦壁部と底面部とより構成されてなることを特徴とする車両用照明プレート。
【発明の詳細な説明】
【技術分野】
【０００１】
この発明は、車体の一部に取付けられる車両用照明プレートに関するものである。
【背景技術】
【０００２】
自動車の車体（その装備品も含む）には、例えば、サイドステップ部に取付けられるスカッフプレートのように、車体表面に照明プレートが組み込まれる場合がある。この種の照明プレートは、全体が発光することによりインテリアになると共に、特定の表示（文字・マーク等）が施されている場合は、その表示を光らせて目立たせる働きをする。
【０００３】
この照明プレートは、透明ガラス又は透明樹脂製の導光体と、該導光体を表面側から覆う遮光性能を有するカバーと、前記導光体の裏面に形成されてなる光反射層と、導光体の一側面に設けられた光源とより構成されている。この光源からの光を、導光体の一側面から導光体内に導入する。導光体の裏面に形成された光反射層で導入された光を反射させながら拡散させることにより、前記カバーに形成した特定の表示を適宜の透過部からのみ光が発光させることができる（例えば、特許文献１参照。）。
【特許文献１】特開２００１−１６３１１７号公報
【発明の開示】
【発明が解決しようとする課題】
【０００４】
しかしながら、このような従来の照明プレートにあっては、透過部を介して発光した特定の表示は、導光体の裏面に形成されてなる平板状の光反射層によってのみ反射されるため、立体感が無いものとなる。
【０００５】
この発明は、このような従来の技術に着目してなされたものであり、特定の表示部が立体的に見えることを可能とした車両用照明プレートを提供するものである。
【課題を解決するための手段】
【０００６】
請求項１に記載の発明は、四辺に側壁を有するベース及び該ベースの側壁の先端に取付けられてなるカバーレンズより構成されてなるハウジングと、該ハウジングの側壁に配置されてなる光源と、該光源に対向し且つハウジングの内部に収納されてなると共に光源からの光をハウジングの内部に拡散させてカバーレンズを光らせる導光体と、該導光体の裏面に配されてなる光拡散反射部とよりなる車両用照明プレートであって、前記カバーレンズの裏面には、文字・マークなどの特定の表示部を立体的に形成してなり、該特定の表示部に光拡散処理を施してなることを特徴とする。
【０００７】
請求項２に記載の発明は、請求項１に記載の車両用照明プレートであって、前記特定の表示部は、縦壁部と底面部とより構成されてなることを特徴とする。
【発明の効果】
【０００８】
請求項１に記載の発明によれば、カバーレンズの裏面には、文字・マークなどの特定の表示部を立体的に形成してなり、該特定の表示部に光拡散処理を施してなるので、導光体からの光が特定の表示部で拡散されてカバーレンズから出射できるため、特定の表示部のより示される文字・マークなどが立体的に見えることになり、光束利用効率が高く、且つ高輝度となる。
【０００９】
請求項２に記載の発明によれば、請求項１記載の効果に加え、前記特定の表示部は、縦壁部と底面部とより構成されてなることにより、入光した光が縦壁部と底面部と向きを異にすることで、特定の表示部が立体的に見えることになる。
【発明を実施するための最良の形態】
【００１０】
特定の表示部が立体的に見えることを可能とした車両用照明プレートを提供するため、カバーレンズの裏面には、文字・マークなどの特定の表示部を立体的に形成してなり、該特定の表示部に光拡散処理を施してなることで、実現した。
【実施例１】
【００１１】
以下、この発明の一実施例を図１〜図３に基づいて説明する。符号Ｓは、周知の自動車のサイドステップ部に取付けられるスカッフプレート（照明プレート）である。このスカッフプレートＳは、ハウジング１と、光源２とから構成されている。符号１５は、光を透過しないスカッフプレートＳの周囲に配される部材である。
【００１２】
ハウジング１は、ベース３と、カバーレンズ４と、導光体５とから構成された長方形の中空箱状をしている。ハウジング１が中空箱状のため、とても軽量である。
【００１３】
ベース３は、白色の合成樹脂製で、光反射性に優れてなり、四辺に側壁３ａ、３ｂを有する上部開放の容器形状をしている。ベース３を白色の合成樹脂製にしたのは、高反射率を得るためである。また、ベース３の内面は、拡散反射を促すために微細凹凸状のシボ加工も施されている。尚、ベース３は、合成樹脂自体を白色にする代わりに、別の色の合成樹脂の表面に白色塗装を施しても良く、ホーニング状の金属系光択面等で形成しても良い。
【００１４】
カバーレンズ４は、透明性の合成樹脂製で、ベース３の側壁３ａ、３ｂの先端で区画される開口の全てを覆うように取付けられる。カバーレンズ４の裏面４ａには、ベース３内に突出する表示部（文字）６が設けられ、その表示部６の縦壁部６ａ及び底面部６ｂのそれぞれには、光拡散処理７が施されている。従って、表示部６は、それ以外の領域よりも拡散率が大きく立体的であるし、入光した光が縦壁部６ａと底面部６ｂと向きを異にすることで、特定の表示部６が立体的に見えるので、表示部６を明瞭に視認することができる。
【００１５】
前記導光体５は、前記光源２に対向し且つハウジング１の内部に収納されてなると共に光源２からの光Ｌをハウジング１の内部に拡散させてカバーレンズ４を光らせるものであって、該導光体５の裏面５ａには、光拡散反射板２２を配設してなる。前記導光体５は、透明合成樹脂をカットして形成してなる。
【００１６】
前記光源２は、ベース３の底面における長手方向端部に支持されてなる基板１０と、該基板１０に支持されてなるＬＥＤ９と、該ＬＥＤ９に接続した配線８と、より構成される。ＬＥＤ９は、ベース３の底面に形成された一対の突起部１１、１１により固定されている。この突起部１１、１１には、ＬＥＤ９の側面を挟持すると共に先端側への抜けを防止する凸部１１ａ，１１ａが形成されている。配線８は、ベース３の側壁３ｂに形成された貫通孔１３を貫通して外部へ導かれていると共に該貫通孔１３に支持されたゴムキャップ１４により密封支持されている。
【００１７】
また、この突起部１１、１１の端部からは、光Ｌの照射方向に向けて開いたテーパ状のリフレクタ１２、１２が側壁３ａ、３ａまで延設されている。このリフレクタ１２、１２の表面も、ベース３の表面と同じ表面処理が施されている。
【００１８】
以上のように構成されたスカッフプレートＳは、カバーレンズ４の裏面４ａには、文字・マークなどの特定の表示部６を突出することで立体的に形成してなり、該特定の表示部６の縦壁部６ａと底面部６ｂとに光拡散処理７を施してなるので、導光体５が入光された光源２からの光が、該導光体５の裏面５ａに配された光拡散反射板２２により上側に発光され、その光が特定の表示部６の縦壁部６ａと底面部６ｂとに施された光拡散処理７により拡散されて向きを変えた光が、カバーレンズ４から出射できるため、特定の表示部６に形成されてなる、例えば、「ＩＣＨＫ−Ｈ」などの文字・マークが立体的に見えることになり、光束利用効率が高く、且つ高輝度となる。
【００１９】
また、前記ハウジング１のベース３の内面は、白色系樹脂、高反射塗装、アルミ蒸着などによる光反射性に優れてなることにより、更に、輝度が増すことになる。
【００２０】
また、前記導光体５は、透明合成樹脂をカットして形成してなることにより、導光体５の製造原価が低減できることになる。
【００２１】
リフレクタ１２、１２が、光源２のＬＥＤ９に対してテーパ状に傾斜しており、このリフレクタ１２、１２は、ＬＥＤ９からの光を最初に反射するだけでなく、反射されて戻ってきた光を、ＬＥＤ９の向きとは交差する方向へ更に二次反射させることができるため、光の更なる拡散状態が得られ、カバーレンズ４をより一層均一に発光させることができる。
【産業上の利用可能性】
【００２２】
この発明によれば、ベース３は、白色系樹脂として説明したが、これに限定されるものではなく、高反射塗装、アルミ蒸着などによっても良い。
【００２３】
カバーレンズ４の表示部６は、ベース３内に突出する旨を説明したが、これに限定されるものではなく、逆に凹んでいても良い。また、該表示部６に施される光拡散処理７は、表示部６の縦壁部６ａと底面部６ｂとに施すだけでなく、底面部６ｂだけに施しても良い。
【図面の簡単な説明】
【００２４】
【図１】この発明の一実施例に係るスカッフプレートを示す一部破断の平面図。
【図２】図１のII−II線に沿った断面図。
【図３】図２のIII−III線に沿った断面図。
【符号の説明】
【００２５】
Ｓ  スカッフプレート
１  ハウジング
２  光源
３  ベース
３ａ、３ｂ  側壁
４  カバーレンズ
５  導光体
６  表示部
６ａ  縦壁部
６ｂ  底面部
７  光拡散処理
【図１】
2006221073.tif 000003
【図２】
2006221073.tif 000004
【図３】
2006221073.tif 000005